(57)【要約】  【課題】簡単かつ安価な構成で、記録手段と記録媒体との隙間を調整するための調整機構の小型化を実現できる記録装置を提供する。  【解決手段】調整レバー３３をキャリッジ６に対して相対的に移動させるための操作部３３１を設け、操作部をキャリッジの移動方向にのみ動かすことによって、記録手段３と記録媒体との距離を記記録媒体の厚みに応じて変化させる隙間調整を行い、隙間調整を行う際に調整レバーが一定の姿勢を保ちながらキャリッジの移動方向に移動する。【選択図】                図１２
2005329550.tif 000002
【特許請求の範囲】
【請求項１】
記録手段を搭載して移動するキャリッジと、該キャリッジの移動を案内するガイド部と、前記キャリッジに配され前記ガイド部と摺動する調整レバーと、を有する記録装置において、
前記調整レバーを前記キャリッジの移動方向に動かすことによって、前記記録手段と前記記録媒体との距離を変化させることを特徴とする記録装置。
【請求項２】
前記調整レバーがは一定の姿勢を保ちながら前記キャリッジの移動方向に移動することを特徴とする請求項１に記載の記録装置。
【請求項３】
前記調整レバーは該調整レバーを前記キャリッジの移動方向に対して固定する固定部を有し、前記キャリッジあるいは該キャリッジに装着されるカバー部材は前記調整レバーの前記固定部と係合可能な複数の係止部を有し、
前記調整レバーが前記キャリッジに対して固定あるいは解除される際に、前記調整レバーの前記固定部が前記キャリッジの移動方向を略法線とする略円弧状軌跡で揺動することを特徴とする請求項１又は２に記載の記録装置。
【請求項４】
前記調整レバーは前記キャリッジ及び前記記録手段の自重によって前記キャリッジに対して圧接される方向に付勢されることを特徴とする請求項１〜３のいずれかに記載の記録装置。
【請求項５】
前記調整レバーの前記固定部が前記キャリッジ側の係止部に固定されている場合においても、前記固定部と前記係止部の係合の程度がほぼ同じであることを特徴とする請求項１〜４のいずれかに記載の記録装置。
【請求項６】
前記調整レバーの前記固定部が前記キャリッジ側の係止部に固定されている場合においても、前記調整レバーの前記摺動部が前記ガイド部と摺動することを特徴とする請求項１〜５のいずれかに記載の記録装置。
【請求項７】
前記調整レバーの前記固定部と前記キャリッジ側の係止部は、前記調整レバーの前記キャリッジに対する移動方向で所定の隙間を持って係合し、該隙間の範囲内では前記記録手段と前記記録媒体との距離がほぼ一定であることを特徴とする請求項１〜６のいずれかに記載の記録装置。
【請求項８】
前記キャリッジが前記ガイド部を中心に回動可能に設けられていることを特徴とする請求項１〜７のいずれかに記載の記録装置。
【請求項９】
前記調整レバーの前記摺動部は前記キャリッジ及び前記記録手段の自重によって前記ガイド部に当接することを特徴とする請求項１〜８のいずれかに記載の記録装置。
【請求項１０】
前記ガイド部は板状のレールであることを特徴とする請求項１〜９のいずれかに記載の記録装置。
【発明の詳細な説明】
【技術分野】
【０００１】
本発明は、記録手段を保持したキャリッジを記録媒体の搬送方向と交差する方向に移動させながら記録を行うシリアルタイプの記録装置に関する。
【背景技術】
【０００２】
プリンタ、複写機、ファクシミリ等の機能を有する記録装置、あるいはコンピュータやワードプロセッサ等を含む複合機器やワークステーションの出力機器として用いられる記録装置は、画像情報に基づいて用紙やプラスチック薄板等の記録媒体に画像を記録していくように構成されている。前記記録装置は、記録方式により、インクジェット式、ワイヤドット式、サーマル式等に分けることができる。記録媒体の搬送方向と交差する方向に主走査するシリアルタイプの記録装置においては、記録媒体に沿って移動するキャリッジ上に搭載した記録手段としての記録ヘッドによって画像を記録し、１行分の記録を終了した後に所定量の紙送り（副走査）を行い、その後に再び停止した記録媒体に対して次の行の画像を記録するという動作を繰り返すことにより、記録媒体全体への記録が行われる。
【０００３】
従来のシリアルタイプの記録装置としては、記録手段を着脱自在に搭載するキャリッジを、互いに平行に設けられたガイド軸及びガイドレールに摺動自在に取り付けたものがある。キャリッジは、キャリッジモータの出力軸に固着されたプーリと回転自在に軸支されたアイドルプーリとに掛け回されたタイミングベルトの一部位に結合されており、キャリッジモータの正転及び逆転によってキャリッジを往復移動させる。キャリッジには、記録手段と記録媒体とのギャップ（隙間）を調整するための隙間調整機構が設けられている。
【０００４】
この隙間調整機構として、キャリッジの後部をガイド軸により案内支持するとともに、回転中心からの距離が変化するカム面を有する調整レバーをキャリッジに回転可能に軸支し、圧接バネにより調整レバーのカム面を装置本体側のガイドレールに付勢する（当接させる）構成がある。この構成によれば、調整レバーの回転操作によりキャリッジをガイド軸を中心に回転させることにより、記録手段と記録媒体との隙間を調整することができる。
【特許文献１】特開平６−４７９８２号公報
【特許文献２】特開平１０−３０９８４２号公報
【発明の開示】
【発明が解決しようとする課題】
【０００５】
しかしながら、上記のような隙間調整機構を有する記録装置においては、キャリッジユニット及びガイドレールを含む隙間調整機構の小型化が困難であり、更なる記録装置の小型化に対応することが難しいという不都合がある。本発明はこのような課題に鑑みてなされたものであり、本発明の目的は、簡単かつ安価な構成で、記録手段と記録媒体との距離を調整するためのキャリッジユニット及びガイド部を含む隙間調整機構の小型化を実現できる記録装置を提供することである。
【課題を解決するための手段】
【０００６】
本発明は、上記目的を達成するため、記録手段を搭載して移動するキャリッジと、該キャリッジの移動を案内するガイド部と、前記キャリッジに配され前記ガイド部と摺動する調整レバーと、を有する記録装置において、前記調整レバーを前記キャリッジの移動方向に動かすことによって、前記記録手段と前記記録媒体との距離を変化させることを特徴とする。
【発明の効果】
【０００７】
本発明によれば、調整レバーをキャリッジの移動方向にのみ動かすことによって、記録手段と記録媒体との距離を変化させるので、簡単かつ安価な構成で、記録手段と記録媒体との距離を調整するための隙間調整機構の小型化を実現できる記録装置が提供される。
【発明を実施するための最良の形態】
【０００８】
以下、図面を参照して本発明の実施形態を具体的に説明する。なお、各図面を通して同一符号は同一又は対応部分を示すものである。図１は本発明を適用した記録装置の第１の実施形態を示す模式的斜視図である。なお、図１は記録装置が記録手段から記録媒体へインクを吐出して記録を行うインクジェット記録装置である場合を例示するものである。図１において、記録装置は、用紙やプラスチックシートなどの記録媒体を装置本体内へ供給するための給紙部２０１と、装置本体内を通して記録媒体を搬送するための搬送部２０２と、画像情報に基づいて記録媒体に画像を記録していく記録手段３及び該記録手段を搭載したキャリッジ６を含むキャリッジユニット（記録機構部）２０３と、キャリッジユニット２０３によって形成される画像品位を維持するために記録手段（記録ヘッド）のインク吐出性能を維持回復するために回復ユニット２０４と、を備えている。
【０００９】
給紙部２０１に積載された記録媒体は、給紙モータにより駆動される給紙ローラによって１枚ずつ分離されて送り出され、搬送部２０２へ給送される。搬送部２０２へ送り込まれた記録媒体は、搬送モータによって駆動される搬送ローラ２２１及び搬送ローラ２２１に向けて押圧されたピンチローラ２２２による摩擦搬送力によって記録領域を通して搬送される。記録領域には、キャリッジ６に搭載された記録手段３と所定の隙間（隙間）をおいて対向するようにプラテン２２５が配設されている。このプラテン２２５の上面に沿って案内支持されながら記録領域を通して紙送りされる記録媒体に対し、記録手段３によって画像を記録していく。記録された記録媒体は、搬送ローラ２２１と連動して駆動される排紙ローラ２２３及び該排紙ローラと協働する拍車による搬送力によって装置本体外へ排出される。
【００１０】
キャリッジユニット２０３は、装置本体内部で主走査方向に往復移動可能に案内支持されたキャリッジ６並びに該キャリッジに搭載された記録手段としての記録ヘッド３などによって構成されている。キャリッジ６は装置本体を構成するシャーシ２１０に互いに平行に設けられた第１のガイド部（第１のガイドレール）２１１及び第２のガイド部（第２のガイドレール）２１２（図１２）に沿って往復移動可能に案内支持されている。キャリッジ６に対してキャリッジモータの駆動力がキャリッジベルト２２４を介して伝達され、キャリッジ６は該キャリッジモータの駆動力によってガイド部（ガイドレール）２１１、２１２に沿って往復移動させられる。このキャリッジ６の移動（主走査）に同期して行われる記録手段３の記録動作と記録媒体の所定ピッチごとの搬送（副走査）とを繰り返すことにより記録媒体全体の記録が行われる。
【００１１】
回復ユニット２０４は、記録手段（インクジェット記録手段）３の目詰まり等を解消することで記録品位を正常な状態に維持回復するためのものであり、記録手段３の吐出口を覆うためのキャッピング機構、キャッピングされた吐出口からインクを吸引する吸引ポンプ、並びに吐出口面を拭き取り清掃するためのワイピング機構などから構成されている。記録手段３の図示下面には複数の吐出口を配列して形成された吐出口列が設けられている。図２は記録手段３を底面側から見た模式的斜視図であり、図３は記録手段３を前方から見た模式的斜視図である。本実施形態における記録手段３の吐出口面（フェイス面）８１には、３種類のインクを用いるカラー（例えばシアン、マゼンタ、イエロー）の吐出口列３ｃとブラックの吐出口列３ｄが横並びに配列されている。また、本実施形態では、記録手段３として、インク吐出部（記録ヘッド部）とインクタンクと組み付けるか、あるいは一体化して構成された交換可能なカートリッジタイプのものが使用されている。
【００１２】
本実施形態における記録手段３は、熱エネルギーを利用してインクを吐出するインクジェット記録手段であって、熱エネルギーを発生するための電気熱変換体を備えたものである。該記録手段３は、前記電気熱変換体により印加される熱エネルギーによってインク内に膜沸騰を生じさせ、その時に生じる気泡の成長、収縮による圧力変化を利用して吐出口よりインクを吐出させ、記録を行うものである。前記電気熱変換体は、複数の吐出口のそれぞれに対応して配設されており、記録信号に応じて対応する電気熱変換体にパルス電圧を印加することによって対応する吐出口からインクを吐出するためのものである。この記録手段３の吐出口面８１と記録媒体の表面との隙間（隙間）は、例えば、約０．２〜約２．０ミリ程度の所望の値に設定される。また、記録手段３は、吐出口列３ｃ、３ｄがキャリッジ６の移動方向と交叉する方向となるような姿勢でキャリッジ６に搭載される。
【００１３】
図４は図１中のキャリッジユニット２０３を記録手段３を取り外した状態で示す模式的斜視図である。図４において、キャリッジユニット２０３は、記録手段３が位置決め搭載されるキャリッジ６と、記録媒体の厚みに応じて記録手段３の吐出口面と記録媒体の表面とのギャップ（隙間）を変化させるための調整レバー（調整部材）３３と、キャリッジ６の内部に取り付けられるカバー部材（キャリッジカバー）３０と、記録手段３をキャリッジ６に固定するためのセットレバー３２と、を具備している。なお、図４中の符号３１は、記録手段３の頂部に形成されたリブ３ｅ（図３）に掛止することにより該記録手段３を固定するための板バネである。
【００１４】
図５はキャリッジユニット２０３のキャリッジ６を前方から見た模式的斜視図であり、図６は図５のキャリッジ６を背後から見た模式的斜視図であり、図７は図４中のキャリッジカバー３０の模式的斜視図である。図８は図４中の調整レバー３３を斜め上から見た模式的斜視図であり、図９は図８の調整レバー３３を斜め下方から見た模式的斜視図であり、図１０は図４中の調整レバー３３の模式的側面図である。図５〜図１０において、キャリッジ６の上部には、記録手段３の上部のリブ３ｅに掛止して記録手段３をキャリッジ６上に位置決め固定するための板バネ３１が取り付けられている。記録手段３をキャリッジ６に搭載する際は、セットレバー３２の回動操作によって板バネ３１を退避方向へ弾性変形させ、記録手段３をキャリッジ６に引き込んだ後、板バネ３１を解放して記録手段３のリブ３ｅに掛止させることにより、該板バネ３１の弾性力を利用して記録手段３をキャリッジ６に固定する。
【００１５】
図５において、キャリッジ６に形成された面６１は記録手段３の上部に設けられた記録媒体搬送方向（前後方向）の位置決め面（突き当て面）と圧接する面であり、キャリッジ６に形成された面６２は記録手段３の下部に設けられた鉛直方向（上下方向）の位置決め面と圧接する面であり、キャリッジ６に形成された面６３は記録手段３の記録媒体搬送方向（前後方向）の位置決め面と圧接する面であり、キャリッジ６に形成された面６４は記録手段３の主走査方向（左右方向）の位置決め面と圧接する面である。図５及び図６において、キャリッジ６の左右に形成された穴６５はセットレバー３２の左右の回動中心となるボス部３２ａ（図１２）を回動可能に軸支するための軸受穴であり、キャリッジ６の左右に形成された穴６６はキャリッジカバー３０の左右のボス部３０ｅ（図７）と嵌合して該キャリッジカバー３０をキャリッジ６に固定するためのカバー取り付け穴である。
【００１６】
図１１は調整レバー３３とキャリッジカバー３０の開口部３０１の係止部との位置関係を示す模式的部分断面図である。図１２はキャリッジ６とシャーシ２１０のガイドレール２１１、２１２とキャリッジカバー３０と調整レバー３３との組み付け状態を示す縦断面側面図であり、図１３は図１２中のＳ部分を拡大して示す縦断面側面図である。図１４は調整レバー３３の位置決めボス３３４とキャリッジ６のカム部６７のカム面６７１との位置関係を示す模式的平面断面図である。図４〜図１４において、キャリッジ６の上部には調整レバー３３を水平方向にスライド可能に装着するためのカム部６７が設けられている。調整レバー３３は、カム部６７に係合させるとともにキャリッジカバー３０をキャリッジ６に被せる（キャリッジ６に取り付ける）ことにより、摺動可能に保持される。つまり、調整レバー３３は両矢印Ｘ（図４、図１４）方向にスライド可能に装着されている。
【００１７】
キャリッジカバー３０には、図７及び図１１に示すように、調整レバー３３の操作レバー部３３１をキャリッジ６の内部へ突出させるための開口部３０１が形成されている。この開口部３０１の一部（本実施形態では左右２箇所）に係止部３０１ａ、３０１ｂが形成されている。調整レバー３３の開口部３０１との嵌合部に形成されたリブ状の固定部（ストッパ部）３３２が係止部３０１ａ、３０１ｂのいずれかに入り込むように構成されている。調整レバー３３は、図８〜図１０に示すように、ユーザが隙間調整するための操作部（操作レバー部）３３１と、キャリッジカバー３０の係止部３０１ａ、３０１ｂと係合可能なリブ状のストッパ部（固定部）３３２と、シャーシ２１０の第１のガイドレール（第１のガイド部）２１１の垂直面に摺動可能に当接する摺動部３３３とを備えている。
【００１８】
調整レバー３３は、さらに、図８〜図１０に示すように、キャリッジ６のカム部６７のカム面６７１と摺動可能に当接するように左右２箇所に設けられた位置決めボス３３４、３３５と、前記位置決めボス３３４、３３５のそれぞれとカム部６７を挟んで対向する位置に設けられたガイドボス３３６、３３７と、キャリッジ６の上部に設けられた位置決め面６９と摺動可能に当接する位置決め面３３８と、を備えている。
【００１９】
図１１に示すように、調整レバー３３のストッパ部３３２は、キャリッジカバー３０の開口部３０１の係止部３０１ａ又は３０１ｂに入り込むことで、調整レバー３３の矢印Ｘ方向の移動を防止するとともに調整位置を規制している。また、キャリッジ６及び記録手段３の自重により、ストッパ部（固定部）３３２がキャリッジカバー（カバー部材）３０の係止部３０１ａ、３０１ｂに対し食い込む方向に押圧されるように構成されており、これによって、調整レバー３３が矢印Ｘ方向に勝手に移動することを確実に防止している。また、ストッパ部３３２は、係止部３０１ａ、３０１ｂとは隙間をもって係合しているため、固定状態であっても係止部３０１ａ、３０１ｂの中で僅かながら矢印Ｘ方向に移動可能である。ただし、この場合の隙間は、ストッパ部３３２が移動したとしても、その程度の移動では記録手段と記録媒体との距離が常に一定であるように規定されている。
【００２０】
図１２において、キャリッジ６には記録手段３が搭載され、記録手段３の吐出口面８１と記録媒体の表面との間には隙間（ギャップ）Ｇが形成されている。キャリッジ６は、装置本体（シャーシ）２１０に上下方向に所定距離をおいて互いに平行に設けられた２本のガイドレール、すなわち上部の第１のガイドレール２１１と下部のガイドレール２１２によって移動可能に案内支持されている。第１及び第２のガイドレール２１１、２１２はいずれも装置本体のシャーシ２１０と一体に形成されており、第１のガイドレール２１１は板状のレールになっている。そこで、本実施形態においては、左右方向（キャリッジ移動方向）にスライド可能に保持された調整レバー３３から下向きに突出した位置決めボス３３４、３３５と、キャリッジ６の上部に左右方向に設けられたカム部６７の垂直端面から成るカム面６７１とを摺動可能に当接させている。
【００２１】
そして、図１２に示すように、キャリッジ６及び記録手段３全体の重心は第１のガイド部２１１と第２のガイド部２１２とを結ぶ線より十分に装置本体手前側（図示右側）に位置するので、キャリッジ６は第２のガイド部２１２との当接点を中心に手前側に回動しようとする慣性モーメントが生じている。そのため、調整レバー３３の位置決めボス３３４、３３５はキャリッジ６のカム部６７のカム面６７１に所定の圧接力で当接している。すなわち、調整レバー３３はキャリッジ６及び記録手段３の自重によってキャリッジ６に対して圧接される方向に付勢されている。従って、調整レバー３３の左右方向（キャリッジ移動方向）へのスライドに応じて、キャリッジ６は第２のガイドレール２１２との当接点６０１を中心に両矢印Ｒで示す方向に回動することになる。つまり、図１２に示すように、調整レバー３３を左右方向へ移動させてキャリッジ６を矢印Ｒ方向に回動させることにより、記録手段３の吐出口面８１と記録媒体とのギャップＧを調整することができる。
【００２２】
本実施形態では、図１１において、調整レバー３３を図示左側へスライドさせてストッパ部３３２を図示左側の係止部３０１ａに係合させた位置３３Ａが、普通紙などの薄紙の隙間ポジションＰＡのときに調整レバー３３がセットされる位置である。そして、調整レバー３３を図示右側へスライドさせてストッパ部３３２を図示右側の係止部３０１ｂに係合させた位置３３Ｂが、封筒などの厚紙の隙間ポジションＰＢのときに調整レバー３３がセットされる位置である。また、調整レバー３３が隙間ポジションＰＡと隙間ポジションＰＢとの間に位置するときは、キャリッジカバー３３のストッパ部３３２がキャリッジカバー３０の開口部３０１のガイド部３０１ｃにより押し下げられるように構成されている。
【００２３】
調整レバー３３を薄紙に記録するための隙間ポジションＰＡから厚紙に記録するための隙間ポジションＰＢへ動かすとき、該調整レバー３３のストッパ部３３２は、キャリッジカバー３０の係止部３０１ａからガイド部３０１ｃへ向かう斜面に沿って図１１中の矢印Ｖで示す方向に移動する。すなわち、調整レバー３３がキャリッジ６に対して固定あるいは解除される際には、該調整レバー３３のストッパ部３３２が矢印Ｖで示すようにキャリッジ６の移動方向を略法線とする略円弧状軌跡を描いて揺動する。
【００２４】
その際、ストッパ部３３２は、キャリッジカバー３０のガイド部３０１ｃに沿って移動し、キャリッジカバー３０の係止部３０１ｂまで移動したところで、キャリッジ６及び記録手段３の自重によりキャリッジカバー３０の係止部３０１ｂに食い込むため、調整レバー３３は矢印Ｘ方向（図４、図１４）の所定位置（隙間ポジションＰＢ）に固定される。調整レバー３３を厚紙に記録するための隙間ポジションＰＢから薄紙に記録するための隙間ポジションＰＡへ動かすときも同様であり、調整レバー３３は同様にして隙間ポジションＰＡに固定される。
【００２５】
ストッパ部３３２と係止部３０１ａ、３０１ｂとの係合の程度（強さや量）は隙間ポジションによらず一定であり、調整レバー３３を各隙間ポジションから移動させるときに操作レバー部３３１に与える必要操作力は、隙間ポジションによらず一定である。つまり、調整部材３３の固定部３３２がキャリッジ６側の係止部３０１ａ、３０１ｂに固定されている場合においても、固定部３３２と係止部３０１ａ、３０１ｂとの係合の程度はほぼ同じである。また、前述のように調整レバー３３の位置決めボス３３４、３３５はキャリッジ６の上部のカム部６７のカム面と摺動可能な状態で当接しており、調整レバー３３はキャリッジ６に対して摺動可能に保持されている。
【００２６】
つまり、調整部材３３の固定部３３２がキャリッジ６側の係止部３０１ａ、３０１ｂに固定されている場合においても、調整部材３３の摺動部３３３は第１のガイド部２１１と摺動する。従って、前述のように、調整レバー３３を左右方向（キャリッジ移動方向）にスライドさせることにより、キャリッジ６の第２のガイドレール２１２との当接点６０１を中心とする矢印Ｒ方向の回動変位によって隙間を調整することができる。
【００２７】
調整レバー３３には、位置決めボス３３４、３３５に対してカム部６７を挟んで対向する位置にガイドボス３３６、３３７は設けられている。図１２及び図１３に示すように、調整レバー３３の水平方向の位置決め面３３８はキャリッジ６及び記録手段３の自重によりキャリッジ６の水平方向の位置決め面６９と当接し、同時に、調整レバー３３の摺動部３３３はシャーシ２１０と一体的に形成された第１のガイドレール２１１と当接している。これらによって、キャリッジ６及び記録手段３の姿勢が正しく規制され、調整レバー３３をキャリッジ６に対して円滑に摺動させることができる。また、本実施形態においては、隙間調整を行う際に調整部材３３が一定の姿勢を保ちながらキャリッジ６の移動方向に移動するように構成されている。
【００２８】
図１４にはキャリッジ６のカム部６７と摺動する調整レバー３３の位置決めボス３３４、３３５の位置関係が示されている。図１４において、調整レバー３３を矢印Ｘ方向にスライドさせると、該調整レバー３３の位置決めボス（摺動ボス）３３４、３３５はカム部６７のカム面６７１に従って移動する。これによって、第１のガイドレール２１１と摺動する調整レバー３３の摺動部３３３は、キャリッジ６に対して図中の矢印Ｙ方向へ相対的に変位する。そのため、調整レバー３３をスライドさせることにより、第２のガイドレール２１２との当接点６０１を中心としてキャリッジ６が回動し、その結果として、キャリッジ６に搭載された記録手段３の吐出口面８１と記録媒体の表面との間隔（隙間距離）を変化させることができる。
【００２９】
図１４において、カム部６７のカム面６７１の部位６７１ａは前記隙間ポジションＰＡ（普通紙などの薄紙ポジション）に対応しており、カム面６７１の部位６７１ｂは前記隙間ポジションＰＢ（封筒などの厚紙ポジション）に対応している。また、３３４Ａ、３３５Ａは調整レバー３３の位置決めボス３３４、３３５が前記カム面の部位６７１ａに当接する位置を示し、３３４Ｂ、３３５Ｂは位置決めボス３３４、３３５が前記部位６７１ｂに当接する位置を示す。同様に、３３６Ａ、３３７Ａは調整レバー３３のガイドボス３３６、３３７が前記部位６７１ａに対向する位置を示し、３３６Ｂ、３３７Ｂはガイドボス３３６、３３７が前記部位６７１ｂに対向する位置を示す。そして、これらの位置では、調整部材３３の固定部（ストッパ部）３３２がキャリッジ６側の係止部３０１ａ及び係止部３０１ｂに入り込むようになっている。
【図面の簡単な説明】
【００３０】
【図１】本発明を適用した記録装置の第１の実施形態を示す模式的斜視図である。
【図２】図１中の記録手段を底面側から見た模式的斜視図である。
【図３】図２の記録手段を前方から見た模式的斜視図である。
【図４】図１中のキャリッジユニットを記録手段を取り外した状態で示す模式的斜視図である。
【図５】図４のキャリッジユニットのキャリッジを前方から見た模式的斜視図である。
【図６】図５のキャリッジを背後から見た模式的斜視図である。
【図７】図４中のキャリッジカバー（カバー部材）の模式的斜視図である。
【図８】図４中の調整レバー（調整部材）を斜め上から見た模式的斜視図である。
【図９】図８の調整レバーを斜め下方から見た模式的斜視図である。
【図１０】図４中の調整レバーの模式的側面図である。
【図１１】図８の調整レバーと図７のキャリッジカバーの開口部の係止部との位置関係を示す模式的部分断面図である。
【図１２】キャリッジとシャーシのガイドレール（ガイド部）とキャリッジカバーと調整レバーとの組み付け状態を示す縦断面側面図である。
【図１３】図１２中のＳ部分を拡大して示す縦断面側面図である。
【図１４】図９の調整レバーの位置決めボスと図５のキャリッジのカム部のカム面との位置関係を示す模式的平面断面図である。
【符号の説明】
【００３１】
２０１      給紙部
２０２      搬送部
２０３      キャリッジユニット
２０４      回復ユニット
２１０      シャーシ
２１１      第１のガイド部（第１のガイドレール）
２１２      第２のガイド部（第２のガイドレール）
２２１      搬送ローラ
２２２      ピンチローラ
２２３      排紙ローラ
２２４      キャリッジベルト
２２５      プラテン
３          記録手段
３ｃ、３ｄ    吐出口列
３ｅ        リブ
３０        キャリッジカバー
３０ｅ      ボス部
３０１      開口部（キャリッジカバー）
３０１ａ、３０１ｂ    係止部
３０１ｃ    ガイド部
３１        板バネ
３２        セットレバー
３２ａ      ボス部
３３        調整レバー（調整部材）
３３１      操作部（操作レバー部）
３３２      固定部（ストッパ部）
３３３      摺動部
３３４、３３５    位置決めボス
３３６、３３７    ガイドボス
３３８      位置決め面
６          キャリッジ
６０１      当接点
６１、６２、６３、６４    面（キャリッジ）
６５        セットレバー軸支用の軸受穴
６６        カバー取り付け用の穴
６７        カム部（キャリッジ）
６７１      カム面
６９        位置決め面
８１        吐出口面
【図１】
2005329550.tif 000003
【図２】
2005329550.tif 000004
【図３】
2005329550.tif 000005
【図４】
2005329550.tif 000006
【図５】
2005329550.tif 000007
【図６】
2005329550.tif 000008
【図７】
2005329550.tif 000009
【図８】
2005329550.tif 000010
【図９】
2005329550.tif 000011
【図１０】
2005329550.tif 000012
【図１１】
2005329550.tif 000013
【図１２】
2005329550.tif 000014
【図１３】
2005329550.tif 000015
【図１４】
2005329550.tif 000016